(57)【特許請求の範囲】
【請求項１】
照明器具を収納するための包装容器であって、
４つの面を有し、当該４つの面によって前記照明器具の器具本体を４方向から囲繞して保持するための筒状の第１包装体と、
前記第１包装体を収納する第２包装体とを備え、
前記第１包装体は、さらに、前記４つの面のうちの３つの面の各々に設けられた、前記器具本体の一部が嵌め入れられる第２スリットを有し、
前記器具本体は、前記４つの面のうち、前記第２スリットが設けられていない１つの面上に配置され、
前記第１包装体は、前記第２包装体の内部に筋交い状に収納される
包装容器。
【請求項２】
前記第１包装体は、前記器具本体を巻き入れて保持する
請求項１に記載の包装容器。
【請求項３】
前記第１包装体の外表面と前記第２包装体の内表面との間に、前記照明器具の付属品を収納するための空間が形成されている
請求項１又は２に記載の包装容器。
【請求項４】
前記第１包装体は、前記付属品の一部が嵌め入れられる第１スリットを有する
請求項３に記載の包装容器。
【請求項５】
前記第１包装体は、一部が外側に切り起こされることで形成される第１切り起こし片を有し、
前記第１切り起こし片は、前記付属品に当接することで、前記付属品の移動を規制する
請求項３又は４に記載の包装容器。
【請求項６】
前記第１包装体は、一部が内側に切り起こされることで形成される第２切り起こし片を有し、
前記第２切り起こし片は、前記器具本体に当接することで、前記器具本体の移動を規制する
請求項１〜５のいずれか１項に記載の包装容器。
【請求項７】
前記第１包装体の上面視形状は、略八角形である
請求項１〜６のいずれか１項に記載の包装容器。
【請求項８】
前記第１包装体は、所定形状の１枚の板状部材を折り曲げることで形成される
請求項１〜７のいずれか１項に記載の包装容器。
【請求項９】
照明器具を収納するための外装箱に収納される包装部材であって、
４つの面を有し、当該４つの面によって前記照明器具の器具本体を４方向から囲繞するように筒状に形成され、
さらに、前記４つの面のうちの３つの面の各々に設けられた、前記器具本体の一部が嵌め入れられる第２スリットを有し、
前記器具本体は、前記４つの面のうち、前記第２スリットが設けられていない１つの面上に配置され、
前記包装部材は、前記外装箱に筋交い状に収納される
包装部材。
【発明の詳細な説明】
【技術分野】
【０００１】
本発明は、包装容器及び包装部材に関する。
【背景技術】
【０００２】
従来、ペンダントライト、シーリングライトなどの様々な照明器具が知られている。また、これらの照明器具を搬送する際、衝撃などからの保護を目的として、照明器具を包装（梱包）することが知られている（例えば、特許文献１参照）。
【先行技術文献】
【特許文献】
【０００３】
【特許文献１】特開平６−２５５６９０号公報
【発明の概要】
【発明が解決しようとする課題】
【０００４】
しかしながら、例えば特許文献１に記載の包装装置を用いて照明器具を包装すると、部品点数が多くなり、包装作業が煩雑化し、材料コスト及び工数コストが増加する。また、単に部品点数を少なくすると、照明器具の保護効果が弱まり、照明器具が破損する恐れがある。
【０００５】
そこで、本発明は、少ない部品点数で照明器具を簡単に包装し、かつ、保護することができる包装容器及び包装部材を提供することを目的とする。
【課題を解決するための手段】
【０００６】
上記目的を達成するため、本発明の一態様に係る包装容器は、照明器具を収納するための包装容器であって、前記照明器具又は前記照明器具の構成部品を囲繞して保持するための筒状の第１包装体と、前記第１包装体を収納する第２包装体とを備え、前記第１包装体は、前記第２包装体の内部に筋交い状に収納される。
【０００７】
また、本発明の一態様に係る包装部材は、照明器具を内部に収納するための外装箱に収納される包装部材であって、前記照明器具の器具本体を包むように筒状に形成され、前記外装箱に筋交い状に収納される。
【発明の効果】
【０００８】
本発明によれば、少ない部品点数で照明器具を簡単に包装し、かつ、保護することができる。
【図面の簡単な説明】
【０００９】
【図１】実施の形態に係る照明器具と当該照明器具を収納する包装容器とを示す分解斜視図である。
【図２】実施の形態に係る照明器具が収納された包装容器の三面図である。
【図３】実施の形態に係る包装容器に収納された照明器具の配置を示す平面図である。
【図４】実施の形態に係る照明器具が収納された包装容器の断面図である。
【図５】実施の形態に係る包装部材の斜視図である。
【図６】実施の形態に係る包装部材の展開図である。
【図７】実施の形態に係る外装箱に収納された包装部材の配置を示す平面図である。
【図８Ａ】実施の形態に係る包装容器に照明器具を収納する方法を説明するための斜視図である。
【図８Ｂ】実施の形態に係る包装容器に照明器具を収納する方法を説明するための斜視図である。
【図９】実施の形態に係る照明器具の組立途中及び完成後の斜視図である。
【図１０】実施の形態の変形例に係る照明器具と当該照明器具を収納する包装容器とを示す分解斜視図である。
【図１１】実施の形態の変形例に係る照明器具と当該照明器具を保持する包装部材とを示す斜視図である。
【図１２】実施の形態の変形例に係る照明器具と当該照明器具を収納する包装容器とを示す断面図である。
【図１３】実施の形態の変形例に係る照明器具の組立途中及び完成後の斜視図である。
【発明を実施するための形態】
【００１０】
以下では、本発明の実施の形態に係る包装容器及び包装部材について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、並びに、ステップ（工程）及びステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態）
［概要］
まず、実施の形態に係る包装容器と、包装容器に収納される照明器具との概要について、図１〜図４を用いて説明する。
【００１３】
図１は、本実施の形態に係る照明器具２０と照明器具２０を収納する包装容器１０とを示す分解斜視図である。
【００１４】
図２は、本実施の形態に係る照明器具２０が収納された包装容器１０の三面図である。具体的には、図２の（ａ）は、包装容器１０の上面図であり、（ｂ）は、包装容器１０の正面図であり、（ｃ）は、包装容器１０の左側面図である。なお、図２は、包装容器１０の蓋（フラップ１１ｂ〜１１ｅ）が閉じられていない状態を示している。
【００１５】
図３は、本実施の形態に係る包装容器１０に収納された照明器具２０の配置を示す平面図である。具体的には、図３は、包装容器１０の上面（天面）を除いた状態で、照明器具２０が収納された包装容器１０を上面視したときの図である。
【００１６】
図４は、本実施の形態に係る照明器具２０が収納された包装容器１０の断面図である。具体的には、図４は、図２の（ａ）に示すＩＶ−ＩＶ線における断面を示している。
【００１７】
包装容器１０は、照明器具２０を内部に収納するための容器である。図１に示すように、包装容器１０は、外装箱１１と、包装部材１２とを備える。
【００１８】
外装箱１１は、包装部材１２を内部に収納する第２包装体の一例である。本実施の形態では、外装箱１１は、略直方体状の箱体である。具体的には、外装箱１１は、図２に示すように、底面が略正方形（例えば、５００ｍｍ〜７００ｍｍ四方）であり、高さが例えば１００ｍｍ〜２００ｍｍの扁平な箱体である。なお、外装箱１１の形状及び大きさは一例に過ぎず、この例に限らない。例えば、外装箱１１は、円柱状又は六角柱状などの箱体でもよい。
【００１９】
なお、以下の説明では、図１に示すように、外装箱１１の底面の幅方向をＸ軸方向、奥行方向をＹ軸方向、外装箱１１の高さ方向をＺ軸方向とする。
【００２０】
包装部材１２は、照明器具２０又は照明器具２０の構成部品を囲繞して保持するための筒状の第１包装体の一例である。なお、「囲繞」とは、照明器具２０又は照明器具２０の構成部品の少なくとも３つの面（例えば、底面、天面及び側面）を囲むことである。具体的には、包装部材１２は、少なくとも４つの面（例えば、底面、天面及び互いに対向する２つの側面）を有し、当該４つの面によって、照明器具２０又は照明器具２０の構成部品の３つの面（例えば、底面、天面及び側面）を４方向から囲んでいる。包装部材１２の詳細な形状については、後で説明する。
【００２１】
本実施の形態では、包装部材１２は、照明器具２０又は照明器具２０の構成部品を巻き入れて保持する。なお、照明器具２０の構成部品は、例えば、照明器具２０の器具本体２１である。本実施の形態では、包装部材１２は、照明器具２０の器具本体２１のみならず、照明器具２０の付属品（具体的には、セード２２など）を保持する。
【００２２】
図３及び図４に示すように、包装部材１２の外表面と外装箱１１の内表面との間には、空間１３及び空間１４が形成されている。空間１３及び空間１４は、照明器具２０の付属品を収納するための空間である。
【００２３】
空間１３は、包装部材１２の側面（後述する側面板３２及び３４）の外表面と外装箱１１の内表面との間の空間である。空間１３には、例えば、照明器具２０のアダプタ２３が配置される。
【００２４】
空間１４は、包装部材１２の天面（後述する天面板３１）の外表面と外装箱１１の内表面との間の空間である。空間１４には、例えば、照明器具２０のセード２２が配置される。
【００２５】
なお、空間１３は、図３に示すように、包装部材１２が外装箱１１の内部に筋交い状に配置されることによって形成されている。包装部材１２の詳細については、後で説明する。
【００２６】
照明器具２０は、器具本体２１と、１以上の付属品とを備える。本実施の形態では、照明器具２０は、付属品として、セード２２と、アダプタ２３と、コード２４とを備える。
【００２７】
照明器具２０は、例えば、天井に取り付けられるペンダント型の照明器具（ペンダントライト）である。照明器具２０は、ペンダントライトに限らず、シーリングライトなどその他の照明器具でもよい。
【００２８】
器具本体２１は、照明器具２０の本体であり、光源（不図示）を有する。光源は、例えば、ＬＥＤ（Ｌｉｇｈｔ  Ｅｍｉｔｔｉｎｇ  Ｄｉｏｄｅ）などの発光素子又は蛍光灯などを備える。
【００２９】
本実施の形態では、器具本体２１は、図１及び図４に示すように、扁平な逆ドーム状の照明部本体２１ａと、照明部本体２１ａの上面に設けられたドーム状の凸部２１ｂとを備える。照明部本体２１ａには、光源が設けられている。また、照明部本体２１ａには、光源を点灯させるための点灯回路が収納されている。凸部２１ｂには、コード２４が接続されている。
【００３０】
器具本体２１は、包装部材１２の内部に収納される。具体的には、図１及び図４に示すように、凸部２１ｂが包装部材１２から上方に突出した状態で、照明部本体２１ａが包装部材１２に巻き入れられて保持されている。
【００３１】
セード２２は、照明器具２０の付属品の一例であり、照明器具２０の外観を規定するカバー部材である。具体的には、セード２２は、器具本体２１の光源から出射される光の出射方向などを制御する傘状の部材である。
【００３２】
本実施の形態では、図１に示すように、セード２２は、扁平な円環状のカバーである。セード２２は、例えば、透光性を有するが、これに限らない。セード２２は、遮光性を有してもよく、光反射性及び光散乱性を有してもよい。
【００３３】
セード２２は、包装部材１２に設けられたスリット（後述するスリット５０）に嵌め入れられることで、包装部材１２に保持される。セード２２は、図４に示すように、凸部２１ｂを覆うように配置される。セード２２は、図３に示すように、側面方向において外装箱１１に接触しない。
【００３４】
アダプタ２３は、照明器具２０の付属品の一例であり、器具本体２１を天井面などの所定の設置面に取り付ける取付部である。アダプタ２３は、商用電源などからの電力を受け、受けた電力を器具本体２１の光源に供給する受電部としても機能する。
【００３５】
アダプタ２３は、例えば、天井に配設された引掛シーリングボディに器具本体２１を接続するための照明器具用のアダプタである。なお、アダプタ２３は、引掛シーリングボディに適合するタイプではなく、端子台を有し、屋内配線を当該端子台に直接接続するタイプのアダプタでもよい。あるいは、アダプタ２３は、ストッパー付きのプラグを有し、配線ダクトに取り付けるタイプのアダプタでもよい。
【００３６】
コード２４は、照明器具２０の付属品の一例であり、器具本体２１とアダプタ２３とを接続するケーブル（電線）である。コード２４は、例えば、金属導体と、当該金属導体を被覆する絶縁性樹脂とを備える。コード２４は、フレキシブルである。
【００３７】
以下では、包装容器１０が備える外装箱１１及び包装部材１２の詳細な構成について説明する。
【００３８】
［外装箱（第２包装体）］
外装箱１１は、例えば、所定形状の１枚の板状部材を折り曲げることによって形成された箱体である。板状部材は、例えば、段ボールシート（段ボール材）である。つまり、外装箱１１は、段ボール箱である。
【００３９】
本実施の形態では、図１及び図２に示すように、外装箱１１の側面に、包装部材１２及び照明器具２０を収納するための開口１１ａと、開口１１ａを蓋するためのフラップとが設けられている。具体的には、外装箱１１は、図１に示すように、４枚のフラップ１１ｂ〜１１ｅを有する。フラップ１１ｂ〜１１ｅはそれぞれ、外装箱１１の底面板、天面板、左側面板及び右側面板に接続されている。例えば、フラップ１１ｄ及び１１ｅを内方に折り曲げた後、フラップ１１ｂ及び１１ｃを内方に折り曲げる。そして、最外のフラップの各辺に沿って、テープなどの粘着性部材を貼り付けることにより、開口１１ａを閉じることができる。
【００４０】
なお、外装箱１１は、段ボール箱に限らず、例えば、プラスチックケース又は木箱などでもよい。外装箱１１は、１枚の板状部材によって形成されていなくてもよい。例えば、外装箱１１の開口１１ａは、別体の蓋によって閉じられてもよい。
【００４１】
［包装部材（第１包装体）］
図５は、本実施の形態に係る包装部材１２の斜視図である。図６は、本実施の形態に係る包装部材１２の展開図である。
【００４２】
包装部材１２は、所定形状の１枚の板状部材を折り曲げることによって形成される。板状部材は、例えば、段ボールシート（段ボール材）である。包装部材１２は、図６に示す形状の段ボールシートを折り曲げることによって形成される。なお、板状部材としては、段ボールシートに限らず、厚紙又は樹脂シート（プラダンシート）などを用いてもよい。
【００４３】
なお、図６において、破線は、包装部材１２を形成する際に折り曲げる線を示している。また、縦線の網掛けがされた円形領域は、段ボールの中芯の向きを示している。具体的には、縦線の方向は、中芯の空洞の延伸方向を示している。
【００４４】
包装部材１２は、図５及び図６に示すように、底面板３０と、天面板３１と、側面板３２〜３４とを備える。
【００４５】
底面板３０は、器具本体２１を収納する際に底面になる部分である。具体的には、底面板３０の上面に照明器具２０の器具本体２１が配置される。底面板３０の平面視形状は、略八角形である。底面板３０は、互いに略平行な２つの長辺と、３組の互いに略平行な２つの短辺とを有する。２つの長辺はそれぞれ、側面板３２及び側面板３３と共有される。すなわち、底面板３０の２つの長辺は、包装部材１２の折り曲げ線に相当する。
【００４６】
天面板３１は、器具本体２１を収納する際に天面になる部分である。具体的には、天面板３１は、器具本体２１の上面を覆うように、底面板３０と平行になるように折り曲げられる。天面板３１の平面視形状は、略八角形である。あるいは、天面板３１の平面視形状は、略六角形又は長方形でもよい。天面板３１と底面板３０とは、互いに略同じ形状及び大きさである。天面板３１の２つの長辺はそれぞれ、側面板３２及び側面板３４と共有される。すなわち、天面板３１の２つの長辺は、包装部材１２の折り曲げ線に相当する。
【００４７】
側面板３２は、底面板３０と天面板３１とを接続する部分である。側面板３２は、器具本体２１を収納する際に側面になる部分である。側面板３２は、底面板３０及び天面板３１の各々に対して略直角になるように折り曲げられる。側面板３２の平面視形状は、略長方形である。
【００４８】
側面板３３は、器具本体２１を収納する際に、側面板３２に対向する側面になる部分である。側面板３３は、底面板３０に接続されており、底面板３０に対して略直角になるように折り曲げられる。側面板３３は、図５に示すように、側面板３４より内側に位置する。側面板３３の平面視形状は、略長方形である。
【００４９】
側面板３４は、器具本体２１を収納する際に、側面板３２に対向する側面になる部分である。側面板３４は、天面板３１に接続されており、天面板３１に対して略直角になるように折り曲げられる。側面板３４は、側面板３３より外側に位置する。側面板３４の平面視形状は、略長方形である。側面板３２〜３４は、互いに略同じ形状及び大きさである。
【００５０】
包装部材１２は、図５及び図６に示すように、さらに、貫通孔８０と、係止片８２とを備える。本実施の形態では、包装部材１２は、貫通孔８０と係止片８２とを２つずつ備える。
【００５１】
貫通孔８０は、側面板３３に設けられている。貫通孔８０は、側面板３３の一部を切り抜くことで形成される。貫通孔８０は、側面視において、側面板３３と側面板３４とを重ね合わせたときに、係止片８２に重なる位置に設けられている。貫通孔８０の形状は、例えば、略矩形である。
【００５２】
係止片８２は、側面板３４の一部であり、当該一部が内側に切り起こされることで形成される。係止片８２は、切り起こされた状態で貫通孔８０に挿入されることで、貫通孔８０に係止する。これにより、側面板３３と側面板３４とを固定することができる。
【００５３】
係止片８２の形状は、例えば、略台形である。台形の下底（図６において短い方の辺）が折り曲げ線であり、他の３辺に沿って切り抜かれている。また、台形の上底（図６において長い方の辺）は、例えば、貫通孔８０の幅より大きい。これにより、係止片８２を貫通孔８０に挿入した後、係止片８２が抜けにくくすることができる。
【００５４】
［器具本体の保持構造］
包装部材１２は、器具本体２１を保持し、移動を規制するための構造を有する。具体的には、包装部材１２は、図５及び図６に示すように、さらに、切り起こし片４０と、貫通孔４２と、スリット４４及び４５とを備える。
【００５５】
切り起こし片４０は、底面板３０の一部であり、当該一部が内側に切り起こされることで形成される第２切り起こし片の一例である。本実施の形態では、２つの切り起こし片４０が底面板３０に設けられている。切り起こし片４０は、器具本体２１に当接することで、器具本体２１の移動を規制する。具体的には、切り起こし片４０は、包装部材１２の長辺方向への器具本体２１の移動を規制する。
【００５６】
切り起こし片４０の形状は、例えば、五角形である。具体的には、切り起こし片４０の形状は、斜辺の１つが内側に折れ曲がって形成される五角形である。切り起こし片４０は、台形の上底（図６において長い方の辺）が折り曲げ線であり、他の４辺に沿って切り抜かれている。
【００５７】
また、台形の下底（図６において短い方の辺）には、挿通孔４０ａが設けられている。挿通孔４０ａは、切り起こし片４０を起こす際に、指などを挿入するための孔である。挿通孔４０ａに指を入れることで、容易に切り起こし片４０を持ち上げて起こすことができる。
【００５８】
貫通孔４２は、器具本体２１の一部が嵌め入れられる第２スリットの一例である。貫通孔４２は、天面板３１に形成されている。例えば、貫通孔４２は、天面板３１の一部を切り抜くことで形成される。貫通孔４２の平面視形状は略円形であるが、これに限らない。貫通孔４２は、例えば、器具本体２１の形状に応じて適切な形状で形成される。
【００５９】
本実施の形態では、貫通孔４２には、器具本体２１の凸部２１ｂが嵌め入れられる。貫通孔４２に凸部２１ｂが嵌め入れられることで、凸部２１ｂ、すなわち、器具本体２１の横方向への移動が規制される。
【００６０】
スリット４４は、器具本体２１の一部が嵌め入れられる第２スリットの一例である。スリット４４は、図６に示すように、側面板３３に形成されたスリット４４ａと、側面板３４に形成されたスリット４４ｂとから形成される。スリット４４ａ及びスリット４４ｂは、略同じ形状であり、側面視において、側面板３３と側面板３４とを重ね合わせたときに重なる位置に設けられている。
【００６１】
スリット４４ａ及びスリット４４ｂはそれぞれ、側面板３３の一部及び側面板３４の一部を切り抜くことで形成される。スリット４４ａ及びスリット４４ｂの平面視形状は、長尺状の角丸矩形であるが、これに限らない。スリット４４ａ及びスリット４４ｂは、例えば、器具本体２１の形状に応じて適切な形状で形成される。スリット４４ａ及びスリット４４ｂの長尺方向の長さは、照明部本体２１ａの径より短い。
【００６２】
本実施の形態では、スリット４４には、照明部本体２１ａの一部が嵌め入れられている。スリット４４に照明部本体２１ａが嵌め入れられることで、照明部本体２１ａ、すなわち、器具本体２１の横方向への移動が規制される。具体的には、器具本体２１は、側面板３３（及び側面板３４）に沿った方向、及び、包装部材１２の内方から側面板３３に向かう方向への移動が規制される。
【００６３】
スリット４５は、器具本体２１の一部が嵌め入れられる第２スリットの一例である。スリット４５は、図６に示すように、側面板３２に形成されている。スリット４５の形状及び機能などは、スリット４４ａ又はスリット４４ｂと同様であるので、説明を省略する。
【００６４】
［付属品の保持構造］
包装部材１２は、照明器具２０の付属品を保持し、移動を規制するための構造を有する。具体的には、包装部材１２は、図５及び図６に示すように、スリット５０と、スリット６０とを備える。本実施の形態では、包装部材１２は、２つのスリット５０を備える。２つのスリット５０は、上面視において、包装部材１２の中心を中心点とする点対称に形成されている。
【００６５】
スリット５０は、照明器具２０の付属品が嵌め入れられる第１スリットの一例であり、セード２２の一部が嵌め入れられる。スリット５０は、天面板３１と、側面板３２と、側面板３３及び側面板３４とに亘って形成されている。具体的には、スリット５０は、天面板３１の一部を切り抜き、かつ、側面板３４に設けられた支持片５２及び側面板３２に設けられた支持片５３を内方に切り起こすことで形成される。
【００６６】
なお、支持片５２を内方に切り起こすために、側面板３３には、切り欠き５４が形成されている。切り欠き５４の形状は、支持片５２と略同じである。
【００６７】
支持片５２及び支持片５３はそれぞれ、側面板３４の一部及び側面板３２の一部である。支持片５２及び支持片５３の平面視形状は、例えば、略矩形であり、互いに略同じ形状及び大きさである。支持片５２及び支持片５３は、図５に示すように、側面板３２及び側面板３４の各々に対して略直角になるように折り曲げられる。セード２２の一部は、スリット５０に挿入され、支持片５２及び支持片５３によって支えられる。
【００６８】
スリット５０の平面視形状は、例えば、円環状であるが、これに限らない。スリット５０の平面視形状は、セード２２の形状に応じて適切な形状で形成される。
【００６９】
スリット６０は、照明器具２０の付属品が嵌め入れられる第１スリットの一例であり、コード２４の一部が嵌め入れられる。スリット６０は、天面板３１と、側面板３２とに亘って形成されている。具体的には、スリット６０は、天面板３１の一部と当該一部に連続する側面板３２の一部とを切り抜くことで形成される。
【００７０】
本実施の形態では、コード２４は、器具本体２１の凸部２１ｂに接続されている。コード２４の一部をスリット６０に嵌め入れることで、コード２４の可動範囲を狭くすることができる。例えば、コード２４のアダプタ２３寄りの部分をスリット６０に嵌め入れることで、アダプタ２３の可動範囲も狭くすることができる。
【００７１】
包装部材１２は、図５及び図６に示すように、さらに、切り起こし片７０を備える。本実施の形態では、包装部材１２は、２つの切り起こし片７０を備える。２つの切り起こし片７０は、上面視において、包装部材１２の中心を中心点とする点対称に形成されている。
【００７２】
切り起こし片７０は、天面板３１の一部であり、当該一部が外側に切り起こされることで形成される第１切り起こし片の一例である。切り起こし片７０は、照明器具２０の付属品に当接することで、当該付属品の移動を規制する。なお、切り起こし片７０の効果については、本実施の形態の変形例を用いて後で説明する。本実施の形態では、切り起こし片７０は設けられていなくてもよい。つまり、包装部材１２には、付属品の保持に利用しない切り起こし片及びスリットが形成されていてもよい。
【００７３】
切り起こし片７０の形状は、例えば、角丸四角形である。切り起こし片７０は、長辺の１つが折り曲げ線であり、他の３辺に沿って切り抜かれている。なお、他の長辺には、挿通孔７０ａが設けられている。挿通孔７０ａは、切り起こし片７０を起こす際に、指などを挿入するための孔である。挿通孔７０ａに指を入れることで、容易に切り起こし片７０を持ち上げて起こすことができる。
【００７４】
［外装箱に対する包装部材の配置］
図７は、本実施の形態に係る外装箱１１に収納された包装部材１２の配置を示す平面図である。具体的には、図７は、図３と同様に、外装箱１１の上面（天面）を除いた状態で、包装部材１２が収納された外装箱１１を上面視したときの図である。
【００７５】
図７に示すように、包装部材１２は、外装箱１１の内部に筋交い状に収納される。筋交い状とは、例えば、平面視において、包装部材１２の長辺が外装箱１１の少なくとも一辺に対して斜めに交差している状態である。具体的には、包装部材１２は、長辺が外装箱１１の対角線（Ｘ軸及びＹ軸の角の二等分線）に平行になるように配置されている。つまり、包装部材１２は、外装箱１１の対角線に沿って配置されている。
【００７６】
包装部材１２の上面視形状は、略八角形である。具体的には、包装部材１２の上面視形状は、外装箱１１の対角線を対称の軸とする線対称な八角形である。包装部材１２の４辺が外装箱１１の各辺に平行であり、包装部材１２の残りの４辺は、外装箱１１の各辺に対して略４５度の角度で交差している。
【００７７】
外装箱１１の各辺に平行な包装部材１２の４辺は、外装箱１１に近接している。具体的には、当該４辺と外装箱１１との間の隙間は、図３に示すようにセード２２と外装箱１１との間の隙間よりも小さい。これにより、外装箱１１の内部において包装部材１２が動いたとしても、包装部材１２の外表面が外装箱１１の内表面に当接するので、セード２２は、外装箱１１の内表面に接触しない。したがって、セード２２を衝撃などから保護することができる。
【００７８】
また、包装部材１２に巻き入れられた器具本体２１は、包装部材１２の内部で動かないように規制されている。本実施の形態では、器具本体２１の一部が貫通孔４２、並びに、スリット４４及び４５から包装部材１２の外方に突出している。突出している部分には空間１３及び空間１４が設けられているので、包装部材１２が動いたとしても、器具本体２１は、外装箱１１の内表面に接触しない。したがって、器具本体２１を衝撃などから保護することができる。
【００７９】
［収納方法］
続いて、本実施の形態に係る包装容器１０を用いた照明器具２０の収納方法について図８Ａ及び図８Ｂを用いて説明する。図８Ａ及び図８Ｂは、本実施の形態に係る包装容器１０に照明器具２０を収納する方法を説明するための斜視図である。
【００８０】
まず、図８Ａの（ａ）に示すように、包装部材１２の底面板３０の所定の領域に器具本体２１を配置する。具体的には、器具本体２１は、２つの切り起こし片４０の間に配置される。
【００８１】
次に、図８Ａの（ｂ）に示すように、底面板３０から２つの切り起こし片４０を切り起こすことで、器具本体２１の側方への移動を規制する。
【００８２】
次に、図８Ａの（ｃ）に示すように、包装部材１２を折り曲げることで、器具本体２１を巻き入れる。具体的には、まず、側面板３３を底面板３０に対して略直角に折り曲げる。このとき、器具本体２１の一部（照明部本体２１ａ）をスリット４４ａに嵌め入れる。さらに、側面板３２を底面板３０に対して略直角に折り曲げる。このとき、器具本体２１の一部をスリット４５に嵌め入れる。さらに、天面板３１を側面板３２に対して略直角に折り曲げる。このとき、アダプタ２３及びコード２４を、天面板３１の貫通孔４２を通して、包装部材１２の外部に取り出す。
【００８３】
次に、側面板３４を天面板３１に対して略直角に折り曲げることで、側面板３３に重ね合わせる。このとき、スリット４４ａから外方にはみ出た器具本体２１の一部を、スリット４４ｂに嵌め入れる。そして、係止片８２を貫通孔８０に挿入することで、側面板３３と側面板３４とを固定する。
【００８４】
これにより、図８Ｂの（ｄ）に示すように、器具本体２１が包装部材１２の内部に巻き入れられる。凸部２１ｂが貫通孔４２に嵌め入れられ、照明部本体２１ａがスリット４４及びスリット４５に嵌め入れられ、かつ、切り起こし片４０に当接しているので、器具本体２１の移動は規制される。
【００８５】
なお、このとき、コード２４をスリット６０に嵌め入れる。これにより、コード２４及びアダプタ２３の可動範囲を制限することができる。
【００８６】
次に、図８Ｂの（ｅ）に示すように、支持片５２及び支持片５３を折り曲げた後、セード２２をスリット５０に嵌め入れる。
【００８７】
次に、図８Ｂの（ｆ）に示すように、外装箱１１に包装部材１２を収納する。具体的には、包装部材１２が筋交い状に配置されるように、包装部材１２の長辺が外装箱１１の対角線に平行になるような姿勢で、外装箱１１の開口１１ａから、照明器具２０が保持された包装部材１２をスライドさせるように挿入する。最後に、フラップ１１ｂ〜１１ｅを閉じることにより、照明器具２０が包装部材１２とともに外装箱１１に収納される。
【００８８】
なお、上述した収納方法は一例に過ぎず、これに限らない。例えば、折り曲げる順序などは適宜入れ替えることが可能である。
【００８９】
［照明器具の使用態様］
ここで、本実施の形態に係る照明器具２０の使用態様について、図９を用いて説明する。図９は、本実施の形態に係る照明器具２０の斜視図である。具体的には、図９の（ａ）は、照明器具２０の組立途中の斜視図であり、図９の（ｂ）は、照明器具２０の組立後の斜視図である。
【００９０】
照明器具２０を使用する場合、まず、包装容器１０から照明器具２０が保持された包装部材１２を取り出し、包装部材１２から器具本体２１及びセード２２を取り外す。具体的には、図８Ａ及び図８Ｂで示した手順を逆に行うことで、器具本体２１及びセード２２を包装部材１２から取り外すことができる。
【００９１】
次に、図９の（ａ）に示すように、セード２２の枠内に、アダプタ２３及びコード２４を挿通させる。そして、セード２２と器具本体２１とを組み合わせることで、図９の（ｂ）に示すように、器具本体２１が使用可能な状態に組み立てられる。このとき、例えば、器具本体２１の縁部（例えば、スリット４４又は４５から突出する部分）が、セード２２の内周部分に係止することで、セード２２は、器具本体２１に支持されている。
【００９２】
次に、アダプタ２３を、例えば、天井面に設けられた引掛シーリングボディなどに取り付けることで、器具本体２１は、アダプタ２３及びコード２４を介して電力を受け取り、光源を点灯させることができる。なお、アダプタ２３を先に引掛シーリングボディなどに取り付けた状態で、セード２２と器具本体２１とを組み合わせてもよい。
【００９３】
［効果など］
以上のように、本実施の形態に係る包装容器１０は、照明器具２０を収納するための包装容器であって、照明器具２０の器具本体２１を囲繞して保持するための筒状の包装部材１２と、包装部材１２を収納する外装箱１１とを備え、包装部材１２は、外装箱１１の内部に筋交い状に収納される。
【００９４】
これにより、照明器具２０の器具本体２１を囲繞して保持することで、包装容器１０の部品点数を削減できる。本実施の形態では、外装箱１１と包装部材１２との２点のみで照明器具２０を包装することができる。また、包装部材１２を外装箱１１の内部に筋交い状に配置しているので、小さい包装部材１２であっても、外装箱１１内での動きが規制される。したがって、包装部材１２を小型化しつつ、照明器具２０を保護することができる。このように、本実施の形態に係る包装容器１０によれば、少ない部品点数で照明器具２０を簡単に包装し、かつ、保護することができる。
【００９５】
また、例えば、包装部材１２は、器具本体２１を巻き入れて保持する。
【００９６】
これにより、器具本体２１を簡単に包装することができる。
【００９７】
また、例えば、包装部材１２の外表面と外装箱１１の内表面との間に、照明器具２０の付属品を収納するための空間１３又は空間１４が形成されている。
【００９８】
これにより、空間１３又は空間１４に付属品を収納することができるので、包装部材１２を小型化することによる材料費の削減を実現しつつ、空間１３又は空間１４を有効に利用することができる。
【００９９】
また、例えば、包装部材１２は、照明器具２０の付属品の一部が嵌め入れられるスリット５０などを有する。
【０１００】
これにより、付属品（セード２２又はコード２４など）の移動を規制することができるので、当該付属品を衝撃などから保護することができる。つまり、包装部材１２は、緩衝材としても機能する。
【０１０１】
例えば、セード２２をスリット５０に嵌め入れることで、包装部材１２の天面板３１の外表面に固定する場合に比べて、スリット５０の深さ分の外装箱１１の高さを低くすることができる。したがって、外装箱１１を小型化することができ、包装容器１０の小型化、軽量化、及び、材料費の削減による低コスト化を実現することができる。
【０１０２】
また、例えば、包装部材１２は、一部が内側に切り起こされることで形成される切り起こし片４０を有し、切り起こし片４０は、器具本体２１に当接することで、器具本体２１の移動を規制する。
【０１０３】
これにより、器具本体２１の移動が規制されるので、器具本体２１を衝撃などから保護することができる。
【０１０４】
また、例えば、包装部材１２は、器具本体２１の一部が嵌め入れられる貫通孔４２又はスリット４４などを有する。
【０１０５】
これにより、器具本体２１の移動が規制されるので、器具本体２１を衝撃などから保護することができる。
【０１０６】
また、例えば、包装部材１２の上面視形状は、略八角形である。
【０１０７】
これにより、包装部材１２の小型化、軽量化、及び、材料費の削減による低コスト化を実現することができる。
【０１０８】
また、例えば、包装部材１２は、所定形状の１枚の板状部材を折り曲げることで形成される。
【０１０９】
これにより、１枚の板状部材を利用するので、簡単に器具本体を保持することができる。また、在庫管理などの観点からも省スペース化を実現することができる。
【０１１０】
また、例えば、本実施の形態に係る包装部材１２は、照明器具２０を内部に収納するための外装箱１１に収納される包装部材であって、照明器具２０の器具本体２１を包むように筒状に形成され、外装箱１１に筋交い状に収納される。
【０１１１】
（変形例）
以下では、本実施の形態の変形例について説明する。具体的には、上記の実施の形態で説明した照明器具２０とは異なる照明器具を収納する例について説明する。
【０１１２】
図１０は、本変形例に係る照明器具１２０と、照明器具１２０を収納する包装容器１１０とを示す分解斜視図である。図１１は、本変形例に係る照明器具１２０と、照明器具１２０を保持する包装部材１２とを示す斜視図である。
【０１１３】
図１２は、本変形例に係る照明器具１２０と、照明器具１２０を収納する包装容器１１０とを示す断面図である。なお、図１２は、外装箱１１１の対角線であって、包装部材１２が沿う対角線（Ｘ軸及びＹ軸の角の二等分線）を通る断面を側面方向から見たときの断面図である。つまり、図１２は、包装部材１２が備える２つの切り起こし片７０を通る断面を示している。
【０１１４】
照明器具１２０は、実施の形態の照明器具２０と比較して、セード２２の代わりにひご付きセード１２２を備える。
【０１１５】
ひご付きセード１２２は、照明器具１２０の付属品の一例であり、照明器具１２０の外観を規定するカバー部材である。ひご付きセード１２２は、例えば、プラスチック、木材（竹）などから形成される。図１０及び図１１に示すように、ひご付きセード１２２は、円筒状の筒部１２２ａと、筒部１２２ａの外周を覆うように設けられた湾曲した複数の棒状部材（ひご）１２２ｂとを有する。
【０１１６】
包装容器１１０は、実施の形態の包装容器１０と比較して、外装箱１１の代わりに外装箱１１１を備える。また、包装容器１１０は、さらに、内筒体１１３を備える。
【０１１７】
外装箱１１１は、側面ではなく、上面（天面）に開口１１１ａを有する。外装箱１１１は、フラップ１１１ｂ〜１１１ｅを備える。外装箱１１１の機能及び材料などは、実施の形態と同様であるので、説明を省略する。なお、外装箱１１１の大きさは、照明器具１２０の大きさに合った大きさである。
【０１１８】
内筒体１１３は、例えば、所定形状の１枚の板状部材を折り曲げることによって形成された筒体である。板状部材は、例えば、段ボールシート（段ボール材）である。つまり、内筒体１１３は、筒状の段ボールである。
【０１１９】
本実施の形態では、内筒体１１３は、開口１１３ａ及び１１３ｆと、フラップ１１３ｂ〜１１３ｅを備える。フラップ１１３ｂ〜１１３ｅは、開口１１３ａの周に沿って設けられている。
【０１２０】
図１０に示すように、内筒体１１３は、フラップ１１３ｂ〜１１３ｅを開いた状態で、ひご付きセード１２２の筒部１２２ａに挿入される。このとき、フラップ１１３ｂ〜１１３ｅの幅は、ひご付きセード１２２の棒状部材１２２ｂの幅より長い。また、内筒体１１３の対角線の長さは、筒部１２２ａの径と略一致する。これにより、ひご付きセード１２２が移動した場合、内筒体１１３も合わせて移動するが、フラップ１１３ｂ〜１１３ｅの先端が外装箱１１１の内表面に当接することよって内筒体１１３の移動は規制される。したがって、ひご付きセード１２２の移動も規制される。
【０１２１】
図１２に示すように、ひご付きセード１２２の筒部１２２ａの内側には、２つの切り起こし片７０が当接している。これによっても、ひご付きセード１２２の移動が規制される。
【０１２２】
以上のように、本変形例に係る包装容器１１０では、例えば、包装部材１２は、一部が外側に切り起こされることで形成される切り起こし片７０を有し、切り起こし片７０は、付属品（ひご付きセード１２２）に当接することで、付属品の移動を規制する。
【０１２３】
これにより、付属品（ひご付きセード１２２）の移動を規制することができるので、ひご付きセード１２２を衝撃などから保護することができる。つまり、包装部材１２は、緩衝材としても機能する。
【０１２４】
ここで、本実施の形態に係る照明器具１２０の使用態様について、図１３を用いて説明する。図１３は、本実施の形態に係る照明器具１２０の斜視図である。具体的には、図１３の（ａ）は、照明器具１２０の組立途中の斜視図であり、図９の（ｂ）は、照明器具１２０の組立後の斜視図である。
【０１２５】
照明器具１２０を使用する場合、まず、包装容器１１０から照明器具１２０が保持された包装部材１２を取り出し、包装部材１２から器具本体２１及びひご付きセード１２２を取り外す。
【０１２６】
次に、図１３の（ａ）に示すように、ひご付きセード１２２の筒部１２２ａに、アダプタ２３及びコード２４を挿通させる。そして、ひご付きセード１２２と器具本体２１とを組み合わせることで、図１３の（ｂ）に示すように、器具本体２１が使用可能な状態に組み立てられる。このとき、例えば、器具本体２１の縁部（例えば、スリット４４又は４５から突出する部分）が、ひご付きセード１２２の筒部１２２ａの上側の開口部分に係止することで、ひご付きセード１２２は、器具本体２１に支持されている。
【０１２７】
次に、アダプタ２３を、例えば、天井面に設けられた引掛シーリングボディなどに取り付けることで、器具本体２１は、アダプタ２３及びコード２４を介して電力を受け取り、光源を点灯させることができる。
【０１２８】
なお、本変形例では、ひご付きセード１２２を天面板３１上に載せる例について示したが、実施の形態と同様に、ひご付きセード１２２をスリット５０に嵌め入れてもよい。なお、この場合、ひご付きセード１２２の形状に応じてスリット５０の形状を変更してもよい。
【０１２９】
（その他）
以上、本発明に係る包装容器及び包装部材について、上記実施の形態及びその変形例に基づいて説明したが、本発明は、上記の実施の形態に限定されるものではない。
【０１３０】
例えば、上記の実施の形態では、器具本体２１の移動を規制するために、包装部材１２が切り起こし片４０、貫通孔４２並びにスリット４４及び４５を備える例について示したが、これに限らない。例えば、包装部材１２は、切り起こし片４０、貫通孔４２、並びに、スリット４４及び４５のうち１つのみを備えてもよい。あるいは、包装部材１２がこれらを備える個数についても特に限定されない。例えば、包装部材１２は、３つ以上の切り起こし片４０を備えてもよく、器具本体２１の移動をより規制することができる。
【０１３１】
また、同様に、付属品の移動を規制するために包装部材１２がスリット５０、スリット６０及び切り起こし片７０を備える例について示したが、これに限らない。包装部材１２は、例えば、スリット５０のみを備えてもよい。
【０１３２】
また、例えば、上記の実施の形態では、外装箱１１が略直方体、具体的には、上面視形状が略正方形の箱体である例について示したが、これに限らない。外装箱１１の上面視形状は、例えば、略六角形でもよい。この場合、包装部材１２は、外装箱１１の対角線に沿って配置されていなくてもよい。例えば、包装部材１２の長辺が外装箱１１の一辺に平行に配置されていてもよい。つまり、筋交い状とは、包装部材１２の長辺が外装箱１１の少なくとも一辺に対して斜めに交差している状態であればよく、図７のように、外装箱１１の全ての辺に対して斜めに交差していなくてもよい。
【０１３３】
また、例えば、上記の実施の形態では、筒状の包装部材１２が４つの面を有する例について示したが、これに限らない。例えば、包装部材１２は、３つの面を有してもよい。つまり、包装部材１２は、３つの面によって器具本体２１を３つの方向からコの字状（Ｕの字状）に囲んでもよい。すなわち、筒状の包装部材１２の１つの側面が設けられていなくてもよい。例えば、包装部材１２は、側面板３３及び側面板３４を備えていなくてもよい。この場合でも、切り起こし片４０、貫通孔４２及びスリット４５によって、器具本体２１を保持することができる。
【０１３４】
あるいは、筒状の包装部材１２は、湾曲した２面を有してもよい。例えば、器具本体２１の底面、左側面下部及び右側面下部を覆う第１湾曲面と、器具本体２１の天面、左側面上部及び右側面上部を覆う第２湾曲面とを有してもよい。
【０１３５】
また、例えば、上記の実施の形態では、外装箱１１及び１１１並びに内筒体１１３の各々は、１枚の板状部材を折り曲げることによって形成したが、これに限らない。複数の板状部材を組み合わせることによって形成してもよい。
【０１３６】
また、例えば、上記の実施の形態では、包装部材１２が照明器具２０の器具本体２１を巻き入れて保持する例について示したが、これに限らない。包装部材１２は、照明器具２０そのものを巻き入れて保持してもよい。あるいは、包装部材１２は、照明器具２０の器具本体２１とは異なる構成部品（例えば、セード２２）を巻き入れて保持してもよい。また、包装部材１２は、器具本体２１を巻き入れていなくてもよく、例えば、筒状の包装部材１２に、器具本体２１を挿入してもよい。
【０１３７】
また、例えば、上記の実施の形態では、器具本体２１を包装部材１２の底面板３０で支持する例について示したが、これに限らない。器具本体２１は、包装部材１２の底面板３０に対して浮いていてもよい。すなわち、器具本体２１と底面板３０とは、離間していてもよい。これにより、底面落下時の器具本体２１の底部（例えば、発光部カバー）への衝撃を緩和することができる。
【０１３８】
例えば、スリット４４及びスリット４５を設ける位置、すなわち、底面板３０からの高さを高くしてもよい。これにより、器具本体２１の縁部がスリット４４及びスリット４５に嵌め入れられて支えられることで、器具本体２１を底面板３０から離間させることができる。
【０１３９】
あるいは、切り起こし片４０によって、器具本体２１の縁部（スリット４４から外方に突出する部分）を支えてもよい。
【０１４０】
また、別の包装部材を用いて器具本体２１を底面板３０から離間させてもよい。例えば、幅の細い段ボール材を器具本体２１の外径より少し小さい円筒状にし、器具本体２１の縁部と包装部材１２の底面板３０との間に挟んでもよい。
【０１４１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４２】
１０、１１０  包装容器
１１、１１１  外装箱（第２包装体）
１２  包装部材（第１包装体）
１３、１４  空間
２０、１２０  照明器具
２１  器具本体（構成部品）
２２  セード（付属品）
２３  アダプタ（付属品）
２４  コード（付属品）
４０  切り起こし片（第２切り起こし片）
４２  貫通孔（第２スリット）
４４、４４ａ、４４ｂ、４５  スリット（第２スリット）
５０、６０  スリット（第１スリット）
７０  切り起こし片（第１切り起こし片）
１２２  ひご付きセード（付属品）
【図１】
0006583769.tif 000002
【図２】
0006583769.tif 000003
【図３】
0006583769.tif 000004
【図４】
0006583769.tif 000005
【図５】
0006583769.tif 000006
【図６】
0006583769.tif 000007
【図７】
0006583769.tif 000008
【図８Ａ】
0006583769.tif 000009
【図８Ｂ】
0006583769.tif 000010
【図９】
0006583769.tif 000011
【図１０】
0006583769.tif 000012
【図１１】
0006583769.tif 000013
【図１２】
0006583769.tif 000014
【図１３】
0006583769.tif 000015